(57)【特許請求の範囲】
【請求項１】
遊技機本体（１）の前側に開閉可能に枢着された第１開閉体（３）と、該第１開閉体（３）を閉状態で施錠する施錠手段（８２）とを備え、該施錠手段（８２）は、前記第１開閉体（３）が閉状態のときに前記遊技機本体（１）側の被係合部（９０）に係合し且つ前記遊技機本体（１）の前側からの所定の解除操作により解除方向に動作する第１開閉体施錠機構（８３）を備えた遊技機において、前記第１開閉体施錠機構（８３）の前記解除方向への動作を阻止する阻止状態と、前記第１開閉体施錠機構（８３）の前記解除方向への動作を許容する阻止解除状態とに切り替え可能に構成されると共に、前記第１開閉体（３）とは別の第２開閉体（６）を開放した状態で、前記遊技機本体（１）の前側から前記阻止状態／阻止解除状態の切り替え操作が可能に構成された解除阻止手段（１０５）と、前記第２開閉体（６）に設けられ且つ該第２開閉体（６）を閉じたときに前記阻止状態にある前記解除阻止手段（１０５）の阻止解除方向側の面に略当接若しくは近接して前記解除阻止手段（１０５）の前記阻止状態から前記阻止解除状態への切り替えを阻止する解除防止手段（１２１）とを備えたことを特徴とする遊技機。
【請求項２】
前記第２開閉体（６）は、前記第１開閉体（３）及び前記第２開閉体（６）とは別の第３開閉体（５）を開放した状態でのみ開放可能に構成されていることを特徴とする請求項１に記載の遊技機。
【請求項３】
前記第１開閉体は矩形状の外枠（２）の前側を開閉自在に覆う前枠（３）であり、前記第２開閉体は前記前枠（３）の前側に開閉自在に装着され且つ発射用の遊技球を貯留する上皿（８）が設けられた前面開閉板（６）であり、前記第３開閉体は前記前枠（３）の前側で且つ前記前面開閉板（６）の上側に配置されたガラス扉（５）であることを特徴とする請求項２に記載の遊技機。
【請求項４】
前記第２開閉体（６）の後方に配置され且つ前記第１開閉体（３）の裏側に固定された支持板（１５）の裏側に前記解除阻止手段（１０５）が装着され、前記支持板（１５）には、前記解除阻止手段（１０５）の操作部（１１４）を前記支持板（１５）の前側に露出させる操作開口部（６０）が設けられ、前記第２開閉体（６）は、閉状態で前記操作開口部（６０）を前側から覆うように構成されていることを特徴とする請求項１〜３の何れかに記載の遊技機。
【請求項５】
前記第１開閉体施錠機構（８３）は、前記被係合部（９０）に係合する係合手段（９１）と、該係合手段（９１）の前記解除方向への動作に連動して所定方向に移動する連動手段（９２）とを備え且つ前記第１開閉体（３）の裏側に装着され、前記解除阻止手段（１０５）は、前記連動手段（９２）側に進出して前記連動手段（９２）上の係合受け部（９４）に係合し、前記連動手段（９２）の前記解除方向への移動を阻止する前記阻止状態と、前記連動手段（９２）側から退去して前記連動手段（９２）側の前記係合受け部（９４）との係合を解除し、前記連動手段（９２）の前記解除方向への移動を許容する前記阻止解除状態とに移動可能な状態で前記第１開閉体（３）の裏側に装着されていることを特徴とする請求項１〜４の何れかに記載の遊技機。
【発明の詳細な説明】
【０００１】
【発明の属する技術分野】
本発明は、パチンコ機、アレンジボール機、スロットマシン等の遊技機に関するものである。
【０００２】
【従来の技術】
遊技機、例えばパチンコ機等の弾球遊技機では、矩形状の外枠と、この外枠の前側に着脱及び開閉自在に枢着される前枠とで遊技機本体が構成されている。遊技機本体を遊技ホールに設置する際には、遊技機本体の外枠を遊技島側の装着枠に嵌め込み、外枠の内側から装着枠に対して釘等を打ち込んで固定するようになっている。
【０００３】
パチンコ機等の前枠には、例えば遊技盤、その遊技盤側に遊技球を発射する発射手段、賞球の払い出し手段、各種の遊技制御を行う制御基板等、遊技機の主要構成部分のほとんどが設けられており、その中でも、制御基板等、遊技の進行や利益の還元に関する構成部分は前枠の裏側に装着されている。また、前枠には、外枠側に閉じたときに外枠側の被係合部に係合し且つ前枠の前側からの鍵操作によりその係合を解除できる施錠手段が設けられており、鍵を持たない一般の遊技者は前枠を開放できないようになっている。
【０００４】
遊技中にエラーが発生した場合や、設定変更が必要な場合等は、遊技店員が鍵操作により前枠を開放して前枠の裏側にアクセスし、エラー解除や設定変更等の作業を行うようになっている。
【０００５】
【発明が解決しようとする課題】
従来の遊技機の施錠手段は、開閉体（前枠）を閉じたときに枠（外枠）側の被係合部に係合する係合手段が、鍵操作の有無に関係なく係合解除方向に移動可能となっているため、例えば前枠を閉じた状態でも、前枠と外枠との隙間に針金等の細長状の物を挿入して係合部を直接係合解除方向に動かすことも不可能ではなかった。即ち、悪意をもった者が鍵を用いることなくワンアクションで開閉体（前枠）を開放することも可能であり、セキュリティ面において必ずしも十分であるとは言えなかった。
【０００６】
本発明は、上記事情に鑑みてなされたものであり、遊技機本体の前側の開閉体を不正に開放する行為を効果的に防止できる遊技機を提供することを目的とする。
【０００７】
【課題を解決するための手段】
上記目的を達成するために本発明は、遊技機本体１の前側に開閉可能に枢着された第１開閉体３と、該第１開閉体３を閉状態で施錠する施錠手段８２とを備え、該施錠手段８２は、前記第１開閉体３が閉状態のときに前記遊技機本体１側の被係合部９０に係合し且つ前記遊技機本体１の前側からの所定の解除操作により解除方向に動作する第１開閉体施錠機構８３を備えた遊技機において、前記第１開閉体施錠機構８３の前記解除方向への動作を阻止する阻止状態と、前記第１開閉体施錠機構８３の前記解除方向への動作を許容する阻止解除状態とに切り替え可能に構成されると共に、前記第１開閉体３とは別の第２開閉体６を開放した状態で、前記遊技機本体１の前側から前記阻止状態／阻止解除状態の切り替え操作が可能に構成された解除阻止手段１０５と、前記第２開閉体６に設けられ且つ該第２開閉体６を閉じたときに前記阻止状態にある前記解除阻止手段１０５の阻止解除方向側の面に略当接若しくは近接して前記解除阻止手段１０５の前記阻止状態から前記阻止解除状態への切り替えを阻止する解除防止手段１２１とを備えたものである。
【０００８】
【発明の実施の形態】
以下、本発明の実施の形態を図面に基づいて詳述する。図１〜図１２は本発明をパチンコ機として具現化した第１の実施形態を例示している。図１〜図３において、１は遊技機本体で、矩形状の外枠２と、この外枠２の前側を覆う前枠（第１開閉体）３とを備えている。前枠３は、左右方向の一端側、例えば向かって左側の端部に設けられた上下一対のヒンジ４によって、外枠１の前側に着脱及び開閉自在に枢着されている。
【０００９】
５はガラス扉（第３開閉体）、６は前面開閉板（第２開閉体）で、これらは前枠３の窓孔７に対応して上下に配置され、左右方向一端側、例えばヒンジ４と同じ側のヒンジにより前枠３に開閉自在に枢着されている。８は発射用の遊技球を貯留する上皿で、前面開閉板６の前側に装着され、上皿カバー９により覆われている。
【００１０】
また、１０は余剰球等を貯留する下皿、１１は灰皿で、これらは前面開閉板６の下側で前枠３の前側に左右に配置され、下皿カバー１２により覆われている。１３は遊技盤で、前枠３の窓孔７に対応するように、前枠３の裏側の遊技盤装着枠１４に裏側から着脱自在に装着され、窓孔７の下部側で前枠３の裏側に装着された支持板１５により下側から支持されている。
【００１１】
１６は発射手段で、下皿１０の一側で前枠３の前側に装着された発射ハンドル１７と、支持板１５の前側に装着された発射レール１８と、前枠３の裏側に配置された発射モータ１９及び打撃槌２０等を備え、発射ハンドル１７を操作したときに、発射モータ１９により打撃槌２０が作動して、前面開閉板６の裏側に装着された球送り手段２１により発射レール１８上に１個ずつ供給される遊技球を遊技盤１３側に発射させるようになっている。
【００１２】
遊技盤１３の前側には、発射手段１６により発射された遊技球を案内するガイドレール２２が環状に配置され、そのガイドレール２２の内側の遊技領域には、液晶表示手段、可変式入賞手段、大入賞手段、普通入賞手段、通過ゲート等の各種遊技部品が配置されている。
【００１３】
遊技盤１３の裏側には、図２に示すように、その液晶表示手段等の遊技部品を裏側から覆う裏カバー２３が装着されている。裏カバー２３の裏側には、主制御基板２４を収納する主基板ケース２５、ランプ表示制御基板２６を収納するランプ表示基板ケース２７、音声制御基板２８を収納する音声基板ケース２９等が着脱自在に装着されている。
【００１４】
遊技盤装着枠１４は門形状であって、前枠３の窓孔７に沿って前枠３の裏側に固定され、この遊技盤装着枠１４の下端部間に、前面開閉板６の裏側に対応するように支持板１５が前枠３の裏側に固定されている。遊技盤装着枠１４には、遊技盤１３を裏側から押圧して固定するように、裏機構板３１が左右方向一端側、例えばヒンジ４と同じ側のヒンジ３２により開閉自在に枢着され、複数、例えば４個の締結具３３により遊技盤装着枠１４に締結されている。
【００１５】
裏機構板３１には、その中央部に裏カバー２３が嵌合する開口部３４が形成され、この開口部３４の上側に遊技球タンク３５とタンクレール３６が、左右一側に払い出し手段３７が、下側に通路ユニット３８と設置部３９とが夫々設けられており、遊技球が大入賞手段等に入賞したとき、或いは図外の自動球貸し機から球貸し指令があったときに、遊技球タンク３５内の遊技球をタンクレール３６を経て払い出し手段３７により払い出し、その遊技球を通路ユニット３８を経て上皿８等に案内するようになっている。
【００１６】
設置部３９には、払い出し制御基板４０を収納する払い出し基板ケース４１と、電源基板４２を収納する電源基板ケース４３とが裏側から着脱自在に取り付けられている。なお、大入賞手段等に入賞して遊技盤１３の裏側に案内された遊技球は、裏カバー２３の下部で集められ、裏機構板３１側の回収通路を経て島側に排出されるようになっている。
【００１７】
支持板１５は例えば合成樹脂製であって、図３に示すように、遊技盤１３を下側から支持する遊技盤支持部５１、この遊技盤支持部５１の前縁側から上方に突設して設けられた左右一対の起立板部５２、払い出し手段３７から払い出された遊技球を上皿８側に案内する案内通路５３、ファール球を下皿１０側に案内するファール球回収通路５４、前面開閉板６を開いたときに案内通路５３から零れた遊技球を下皿１０側に案内する零れ球回収通路５５、裏側からスピーカが装着されるスピーカ装着部５６等が一体に形成されている。
【００１８】
また、支持板１５の前側には、発射レール装着板５７を介して発射レール１８が着脱自在に装着されている。発射レール１８は、その上流端側が打撃槌２０の槌先に対応し且つ下流端側がガイドレール２２側を向くように左上がりの傾斜状に配置されている。また、発射レール１８の上流端側には、その上側に、遊技球を発射位置で保持する遊技球保持手段５８が、打撃槌２０の槌先通過用の隙間を空けて配置されている。
【００１９】
更に、支持板１５の右端側には、前枠３の縦枠部５９に隣接して、前後に連通する操作開口部６０が設けられている。
【００２０】
ガラス扉５は、図４に示すように、扉枠６１と、この扉枠６１を前側から覆う例えば合成樹脂製の扉カバー６２と、扉枠６１の裏側に固定されたガラス保持レール６３と、このガラス保持レール６３により保持された例えば２枚のガラス板６４とを備えている。
【００２１】
扉枠６１は、例えば板金材を折り曲げて構成した板金製であって、図４に示すように、遊技盤１３の遊技領域に対応する開口部６５が形成されており、その内外縁部には後方に折り曲げられた折り曲げリブ６６が設けられている。これにより、ガラス扉５を閉じた状態では、遊技盤１３における遊技領域の外側の部分が、扉枠６１及びその前側の扉カバー６２により前側から覆われた状態となる。
【００２２】
前面開閉板６は、図４に示すように、前枠３に開閉自在に枢着された例えば板金製の台板７１を備えており、この台板７１の前側に上皿８と上皿カバー９とが装着されている。台板７１の裏側には、打撃槌２０の動作と連動して上皿８内の遊技球を発射レール１８上に１個ずつ供給する球送り手段２１と、発射レール１８の前側を覆うレールカバー部材７２とが装着されている。台板７１の上縁部には、ガラス扉５の扉枠６１の下縁側の折り曲げリブ６６が前側から嵌合する嵌合受け部７３が一体に形成されており、ガラス扉５を開いた状態（図５（ａ））でなければ前面開閉板６を開く（図５（ｂ））ことができないようになっている。
【００２３】
また、前面開閉板６には、前枠３側に閉じたときに前枠３側の被係合具に係合する係合手段（図示省略）と、この係合手段の係合を解除するための解除操作手段６ａとが設けられており、この解除操作手段６ａはガラス扉５を開いた状態（図５（ａ））でのみ遊技機本体１の前側から操作可能となっている。
【００２４】
なお、前面開閉板６は、前枠３側に閉じたとき、支持板１５の前側の遊技盤支持部５１、案内通路５３、ファール球回収通路５４、零れ球回収通路５５、スピーカ装着部５６、発射レール１８、操作開口部６０等を前側から覆うようになっている。
【００２５】
前枠３の左右両側の縦枠部５９には、例えば合成樹脂製の前枠カバー８１が前面に装着されており、向かって右側の縦枠部５９には施錠手段８２が配置されている。施錠手段８２は、図６，図７等に示すように、前枠３側の施錠及びその解除を行う前枠施錠機構（第１開閉体施錠機構）８３と、ガラス扉５側の施錠及びその解除を行うガラス扉施錠機構８４と、外部からの鍵操作により前枠施錠機構８３及びガラス扉施錠機構８４の施錠解除操作を行う施錠操作機構８５と、それら前枠施錠機構８３、ガラス扉施錠機構８４、及び施錠操作機構８５を前枠３の裏側で支持する支持部材８６とを備えている。
【００２６】
支持部材８６は、縦長状の固定板８７及び支持案内板８８とを断面Ｌ型状に一体的に備え、支持案内板８８が前枠３の右側の縦枠部５９の裏側から後方に起立し且つ遊技盤装着枠１４の右側の縦枠部に沿うように上下方向に配置され、固定板８７が前枠３の裏側にネジ等の固定手段により着脱自在に固定されている。
【００２７】
支持部材８６の支持案内板８８には、図６に示すように、その上下方向略中央部分に遊技盤装着枠１４側に膨出する膨出部８９が形成されており、その膨出部８９は遊技盤装着枠１４の側面側に設けられた開口部１４ａに外側から嵌合している。
【００２８】
前枠施錠機構８３は、支持案内板８８に左右方向の回転軸９１ａにより軸着され且つ外枠２側の被係合具（被係合部）９０に前側から係脱自在な上下一対の係合部材（係合手段）９１と、支持案内板８８に対して上下方向摺動自在に支持され且つ係合部材９１を上下に連動連結する縦長状の連動板（連動手段）９２と、この連動板９２を施錠方向、例えば下向きに付勢するバネ部材９３とを備え、前枠３を閉じた時に、係合部材９１が被係合具９０に係合して前枠３を施錠するようになっている。
【００２９】
係合部材９１は、図７及び図１２に示すように、その後端側上部に係合爪９１ｂを備え、前端側近傍で且つ回転軸９１ａよりも前側のピン結合部９１ｃにおいて連動板９２とピン結合されている。これにより、係合部材９１は被係合具９０との係合を解除する際には後端側が下がる方向に回動し（図７（ａ）→（ｂ））、その係合部材９１の係合解除動作に伴って連動板９２がバネ部材９３の付勢力に抗して上向きに移動するようになっている。
【００３０】
連動板９２には、例えばその下端部近傍に、係合受け部９４が、例えば後ろ向きの突起状に設けられている。係合受け部９４の上縁側は、その後部側が略水平に形成されており、その前側が連動板９２の後縁側に滑らかに連結するようにＲ状に形成されている。
【００３１】
なお、支持案内板８８には、係合部材９１の係合位置に対応する位置で連動板９２の下向き移動を規制する規制部８８ａが、例えば連動板９２の下端部に対応して突起状に設けられている。
【００３２】
また、支持案内板８８の下端部後側には、左右方向の軸廻りに回動自在の車輪８８ｂが設けられている。車輪８８ｂは、前枠３を閉じる際、例えば下側の被係合具９０に一体的に設けられた案内板９０ａ上に乗り上げることにより、自重により垂れ下がった前枠３の開閉端側を押し上げると共に、前枠３を閉じた状態では、施錠手段８２側の垂れ下がりを防止して係合部材９１が被係合具９０に完全に係合した状態を維持するようになっている。
【００３３】
ガラス扉施錠機構８４は、図６に示すように、ガラス扉５側の被係合具（図示省略）に係脱自在な係合部材９５と、支持案内板８８により上下方向摺動自在に支持され且つ係合部材９５を上下に連動連結する縦長状の連動板９６と、この連動板９６を施錠方向、例えば上向きに付勢するバネ部材（図示省略）とを備え、ガラス扉５を閉じた時に、係合部材９５が被係合具に係合してガラス扉５を施錠するようになっている。係合部材９５は被係合具との係合を解除する際には下向きに移動し、その係合部材９５の係合解除動作に伴って連動板９６がバネ部材の付勢力に抗して下向きに移動するようになっている。
【００３４】
前枠施錠機構８３側の連動板９２とガラス扉施錠機構８４側の連動板９６とは、支持案内板８８の一側、例えば遊技盤装着枠１４と反対側に、連動板９６，９２の順で重ねて取り付けられている。また、前枠施錠機構８３の連動板９２には係合孔９７が、ガラス扉施錠機構８４の連動板９６には係合孔９８が、夫々支持案内板８８の膨出部８９に対応して設けられている。
【００３５】
施錠操作機構８５は、図６及び図７に示すように、錠本体１０１と、この錠本体１０１の後端側に設けられ且つ錠本体１０１の鍵操作に応じて前後方向軸廻りに回動可能な回動操作部材１０２とを備え、錠本体１０１の前端部を前枠カバー８１の開口孔８１ａから前枠３の前側に露出し、且つ回動操作部材１０２を前枠３の裏面側に配置した状態で、支持案内板８８の膨出部８９に対応して固定板８７の裏側から取付基部１０３を介して前枠３の裏側に着脱自在に固定されている。
【００３６】
回動操作部材１０２は、前枠施錠機構８３用の係合片１０２ａとガラス扉施錠機構８４用の係合片１０２ｂとを一体的に備え、それら係合片１０２ａ，１０２ｂは、錠本体１０１側の鍵操作に応じて正逆方向に回動したときに、各連動板９２，９６の係合孔９７，９８に夫々係合して各連動板９２，９６を解除方向に移動させるようになっている。
【００３７】
即ち、遊技機本体１の前側から錠本体１０１に鍵を挿入し、例えば時計回りに回転させると（遊技機本体１の前側からの所定の解除操作の一例）、それに伴って回動操作部材１０２も時計回り（図６の矢印Ｘの方向）に回動し、係合片１０２ａが上向きに移動して係合孔９７に係合し、連動板９２を上向きに押し上げる。これにより、係合部材９１が解除方向に回動して被係合具９０との係合が解除され、前枠３を開放可能な状態となる。
【００３８】
一方、鍵を反時計回りに回転させると、それに伴って回動操作部材１０２も反時計回り（図６の矢印Ｙの方向）に回動し、係合片１０２ｂが下向きに移動して係合孔９８に係合し、連動板９６を下向きに押し下げる。これにより、係合部材９５が解除方向に移動して被係合具との係合が解除され、ガラス扉５を開放可能な状態となる。
【００３９】
支持板１５の裏側右端部には、図７〜図１２に示すように、前枠施錠機構８３の係合受け部９４に対応して前枠ロック機構１０４が設けられている。前枠ロック機構１０４は、解除阻止部材（解除阻止手段）１０５と、この解除阻止部材１０５を支持板１５の裏側で左右方向摺動自在に保持する摺動保持手段１０６と、支持板１５に設けられ且つ解除阻止部材１０５の一部分を前側に露出させる操作開口部６０とを備えている。
【００４０】
解除阻止部材１０５は、例えば合成樹脂製で、遊技盤１３と略平行で且つ略矩形状の阻止板部１０８と、遊技盤１３と略平行で且つ略矩形状の操作板部１０９と、阻止板部１０８の左端部下側と操作板部１０９の上端部右側とを接続する接続板部１１０とを一体に備えた略Ｌ型に形成されている。
【００４１】
阻止板部１０８には、その右側縁部及びその上下の角部に沿って後側に起立するリブ１１１が一体に設けられている。また、阻止板部１０８の下側縁部には、その右端側から上向き及び左向きに所定幅の切り込み１１２が略Ｌ型に形成されており、その切り込み１１２の下側が片持ち弾性部１１３となっている。この片持ち弾性部１１３の自由端側には、下向きの突起部１１３ａが一体に設けられている。また、操作板部１０９の左側縁部から上側縁部、接続板部１１０の左側縁部にかけては、前向きに起立する操作部１１４が一体に設けられている。
【００４２】
摺動保持手段１０６は、支持板１５の裏側に突出状に設けられ且つ互いに向かい合う左右方向の案内面を備えた上下一対の案内レール１１５と、案内レール１１５間に配置された解除阻止部材１０５を後側から押さえて保持する押さえ部材１１６とを備えている。
【００４３】
案内レール１１５は、その上下方向の間隔が阻止板部１０８の上下幅と略等しく、また支持板１５の裏面側からの後方への突出量は阻止板部１０８の板厚と略等しくなっている。また、下側の案内レールは、その上面側（阻止板部１０８との摺動面）が、係合位置にある係合受け部９４の上縁側と略同じ高さ位置に設けられている。
【００４４】
更に、案内レール１１５の上下には、押さえ部材１１６をネジ止め等により固定するための固定基部１１５ａが一体に形成されている。また、下側の案内レール１１５の上縁側には、阻止板部１０８側の突起部１１３ａが係合可能な凹入部１１５ｂが形成されている。
【００４５】
押さえ部材１１６は、例えば矩形板状で、その上部及び下部には、案内レール１１５側の上下の固定基部１１５ａに対応して例えば円弧状の位置決めリブ１１６ａが前向きに立設されており、案内レール１１５間に解除阻止部材１０５の阻止板部１０８を配置した状態で、その後側から上下の位置決めリブ１１６ａを夫々上下の固定基部１１５ａに嵌合させ、裏側から固定基部１１５ａにネジ止め等により着脱自在に固定されている。
【００４６】
解除阻止部材１０５は、阻止板部１０８の上下を案内レール１１５に、前後を支持板１５と押さえ部材１１６とに夫々挟まれ、左右方向摺動自在に保持される。このとき、操作板部１０９側の操作部１１４は操作開口部６０を介して支持板１５の前側に突出した状態となり、前面開閉板６を解放した状態であれば、遊技機本体１の前側からその操作部１１４を左右に操作することにより解除阻止部材１０５を左右に摺動させることができる。
【００４７】
操作部１１４を操作して解除阻止部材１０５を右方向に移動させると、図９に実線で示すように、操作板部１０９の右側縁部が下側の案内レール１１５の左端部に当接する位置で右方向への摺動が規制される。このとき、阻止板部１０８の右端側が連動板９２側に突出して係合受け部９４の上縁側に係合し、この連動板９２の解除方向（上向き）への移動を阻止する阻止状態となる。また、この阻止状態では突起部１１３ａが凹入部１１５ｂに係合して、解除阻止部材１０５がその位置で位置決めされる。
【００４８】
また、操作部１１４を操作して解除阻止部材１０５を左方向に移動させると、図９に２点鎖線で示すように、操作部１１４の少なくとも一部が操作開口部６０の右側縁部に当接する位置で左方向への摺動が規制される。このとき、阻止板部１０８の右端側が連動板９２側から退去して、係合受け部９４の上縁側との係合が解除され、連動板９２の解除方向（上向き）への移動が許容される阻止解除状態となる。また、この阻止解除状態では、突起部１１３ａが下側の案内レール１１５の左端部に係合して、解除阻止部材１０５がその位置で位置決めされる。
【００４９】
なお、図８〜図１１に示すように、解除阻止部材１０５をその後側から略覆う後カバー体１１７と、前側から略覆う前カバー体１１８とを設けてもよい。後カバー体１１７は、例えば解除阻止部材１０５と係合受け部９４とを後側から略覆うように支持板１５の裏側等に着脱可能に装着すればよい。また、前カバー体１１８は、前面開閉板６を閉じたときに解除阻止部材１０５の操作部１１４を前側から覆うように、前面開閉板６の裏側等に装着してもよいし、支持板１５の前側に着脱自在に装着してもよい。
【００５０】
これら後カバー体１１７、前カバー体１１８を設けることにより、例えば前枠３と外枠２との隙間から細長状の物を挿入するなどして解除阻止部材１０５を操作する不正行為を防止できる。もちろん、後カバー体１１７、前カバー体１１８の何れか一方のみを設けてもよいし、両方とも省略してもよい。
【００５１】
上記パチンコ機を設置した遊技ホール等では、予め、前枠３を閉じた状態でガラス扉５と前面開閉板６とを共に開放し、操作開口部６０を介して支持板１５の前側に突出している操作部１１４を右方向に操作して、解除阻止部材１０５を阻止状態にセットしておく。これにより、解除阻止部材１０５の阻止板部１０８の右端側が連動板９２側に突出して係合受け部９４の上縁側に係合し、連動板９２の解除方向（上向き）への移動が阻止された状態となる。
【００５２】
この状態では、例えば連動板９２を直接上向きに移動させたり、或いは係合部材９１の後端側を直接下向きに移動させることはできず、解除阻止部材１０５を阻止解除状態に切り替えない限り、係合部材９１の被係合具９０への係合を解除して前枠３を開放することはできない。
【００５３】
この状態で前面開閉板６とガラス扉５とを共に閉じれば、前面開閉板６により操作開口部６０及び操作部１１４が前側から覆われた状態となるため、ガラス扉５と前面開閉板６とを開放しない限り、遊技機本体１の前側から操作部１１４を操作して解除阻止部材１０５を阻止解除状態に切り替えることはできない。
【００５４】
また、仮に悪意を持った者が前枠３と外枠２との隙間から細長状の物を挿入するなどして連動板９２や係合部材９１を直接移動させて不正に前枠３を開放しようとしても、従来のように直接前枠３を開放することはできず、その前段階としてガラス扉５、前面開閉板６を開放して解除阻止部材１０５を阻止解除状態に切り替えるか、或いは解除阻止部材１０５を直接操作して阻止解除状態に切り替える作業が必要となるため、前枠３の不正開放作業には従来に比べて数倍の時間を要することになり、大きな不正抑止効果が期待できる。
【００５５】
遊技店員等が前枠３を開放する際には、遊技機本体１の前側から錠本体１０１に鍵を挿入し、まず鍵を反時計回りに回転させる。これにより、回動操作部材１０２が反時計回りに回動し、ガラス扉施錠機構８４側の施錠が解除される。即ち、係合片１０２ｂが下向きに移動して係合孔９８に係合し、連動板９６を下向きに押し下げ、係合部材９５が解除方向に移動して被係合具との係合が解除され、ガラス扉５を開放可能な状態となる。
【００５６】
なお、解除阻止部材１０５を阻止状態にセットしている状態では、鍵を時計回りに回転させて前枠施錠機構８３側を解除させることはできない。
【００５７】
ガラス扉５を開放すると、前面開閉板６の解除操作手段６ａを操作可能な状態となり、この解除操作手段６ａを解除方向に操作すれば、前面開閉板６を開放でき、遊技機本体１の前側から操作部１１４を左方向に操作して解除阻止部材１０５を阻止解除状態に切り替えることができる。
【００５８】
解除阻止部材１０５を阻止解除状態に切り替えれば、連動板９２の解除方向（上向き）への移動が許容されるため、錠本体１０１に挿入した鍵を時計回りに回転させて前枠施錠機構８３側の施錠を解除し、前枠３を前側に開くことができる。
【００５９】
なお、解除阻止部材１０５を阻止解除状態にしたままで前枠３、前面開閉板６、及びガラス扉５を閉じれば、従来のパチンコ機と同様、ガラス扉５や前面開閉板６を開放することなく鍵を時計回りに回転させて前枠３のみを開放することができる。このように、不正解除防止措置を講じる必要がない場合等には、解除阻止部材を阻止解除状態にセットしておけば、従来と全く同様の状態で使用することも可能である。
【００６０】
以上説明したように、本実施形態では、前枠施錠機構８３の解除方向への動作を阻止する解除阻止部材１０５を備えているため、例えば前枠と外枠との隙間から細長状の物を挿入する等の方法で前枠施錠機構８３を直接解除方向へ動作させて前枠３の施錠を解除することが不可能となり、遊技機本体１の前側の前枠３を不正に開放する行為を効果的に防止できる。
【００６１】
解除阻止手段１０５は、前枠施錠機構８３の解除方向への動作を阻止する阻止状態と、前枠施錠機構８３の解除方向への動作を許容する阻止解除状態とに切り替え可能に構成され、前枠３とは別の前面開閉板６を開放した状態で、遊技機本体１の前側から阻止状態／阻止解除状態の切り替え操作が可能であるため、前枠３を開放するためにはまず前面開閉板６を開放することが必要となり、前枠３を不正に開放する際の作業工程の増加による不正抑止効果が期待できる。
【００６２】
更に、前面開閉板６は、前枠３及び前面開閉板６とは別のガラス扉５を開放した状態でのみ開放可能となっているため、前枠３を開放するためにはまずガラス扉５、前面開閉板６の順に開放することが必要となり、前枠３を不正に開放する際の更なる作業工程の増加による不正抑止効果が期待できる。
【００６３】
前面開閉板６の後方に配置され且つ前枠３の裏側に固定された支持板１５の裏側に解除阻止手段１０５が装着され、支持板１５には、解除阻止手段１０５の操作部１１４を支持板１５の前側に露出させる操作開口部６０が設けられ、前面開閉板６は、閉状態で操作開口部６０を前側から覆うように構成されているため、前面開閉板６を開放した状態で解除阻止手段１０５を遊技機本体１の前側から容易に操作できると共に、前面開閉板６を閉じた状態では解除阻止手段１０５を操作できないように構成できる。
【００６４】
前枠施錠機構８３は、被係合部９０に係合する係合手段９１と、この係合手段９１の解除方向への動作に連動して所定方向（上向き）に移動する連動手段９２とを備え且つ前枠３の裏側に装着され、解除阻止手段１０５は、連動手段９２側に進出して連動手段９２上の係合受け部９４に係合し、連動手段９２の解除方向への移動を阻止する阻止状態と、連動手段９２側から退去して連動手段９２側の係合受け部９４との係合を解除し、連動手段９２の解除方向への移動を許容する阻止解除状態とに移動可能な状態で前枠３の裏側に装着されているため、前枠３の不正開放防止構造を簡易な構成で実現できる。
【００６５】
図１３及び図１４は本発明の第２の実施形態を例示し、前面開閉板６（第２開閉体）を閉じた状態で解除阻止部材１０５の阻止状態から阻止解除状態への切り替えを阻止する解除防止手段１２１を設けた例を示している。
【００６６】
解除防止手段１２１は、図１３に示すように、前面開閉板６の裏側の例えば台板７１から後方に向けて突出状に設けられ、例えば上下方向の移動規制板１２２と、その移動規制板１２２の下端部側に設けられた左右方向の補強板１２３とを一体に備えている。
【００６７】
解除防止手段１２１は、解除阻止部材１０５を阻止状態にセットした状態（図１４に実線で示す）で前面開閉板６を閉じたときには、移動規制板１２２が操作部１１４の阻止解除方向側の面（左面）に略当接若しくは近接し、解除阻止部材１０５を阻止解除状態にセットした状態（図１４に２点鎖線で示す）で前面開閉板６を閉じたときには、移動規制板１２２が操作部１１４の阻止方向側（右側）に位置するように形成されている。即ち、解除防止手段１２１は、図１４に示すように、その移動規制板１２２が、解除阻止部材１０５が阻止状態にセットされているときの操作部１１４の位置と阻止解除状態にセットされているときの操作部１１４の位置との間に配置されるように設けられている。
【００６８】
これにより、解除阻止部材１０５を阻止状態にセットした状態で前面開閉板６（及びガラス扉５）を閉じれば、解除防止手段１２１の移動規制板１２２が解除阻止部材１０５の阻止解除方向側の面（左面）に略当接若しくは近接して、解除阻止部材１０５の阻止解除方向への移動を規制した状態となる。
【００６９】
この状態では、仮に前枠３と前面開閉板６との隙間から細長状の物を挿入するなどして解除阻止部材１０５を不正に操作しようとしても解除阻止部材１０５を操作することは不可能であり、解除阻止部材１０５を阻止解除状態に切り替えるためには必ずガラス扉５と前面開閉板６とを開放する必要があるため、前枠３の不正開放の抑止効果を更に高めることができる。
【００７０】
また、解除阻止部材１０５を阻止解除状態にセットした状態で前面開閉板６を閉じたときには、移動規制板１２２が操作部１１４の阻止方向側（右側）に位置するようになっているため、解除阻止部材１０５を阻止解除状態にしたままでも前面開閉板６を閉じることができ、第１の実施形態と同様、不正解除防止措置を講じる必要がない場合等には、解除阻止部材１０５を阻止解除状態にセットしておくことで従来と全く同様の状態で使用することが可能である。
【００７１】
なお、解除防止手段１２１は、必ずしも上下方向の移動規制板１２２と左右方向の補強板１２３とで構成する必要はなく、前面開閉板６を閉じた状態で解除阻止部材１０５の阻止状態から阻止解除状態への切り替えを阻止できる程度の十分な剛性をもったものであればどのような形状でもよい。
【００７２】
図１５は本発明の第３の実施形態を例示し、解除阻止部材１０５をガラス扉５の後方に配置した例を示している。本実施形態では、ガラス扉５が第２開閉体に相当する。
【００７３】
前枠ロック機構１０４は、例えば第１の実施形態と略同様に構成され、前枠施錠機構８３の上側の係合部材９１に対応して、遊技盤装着枠１４の裏面側に配置されている。遊技盤１３には、その遊技領域よりも外側に開口部（図示省略）が形成されており、前枠ロック機構１０４の解除阻止部材１０５は、操作部１１４をその遊技盤１３の開口部を介して前側に露出させている。
【００７４】
なお、その操作部１１４は、ガラス扉５を閉じたときにはそのガラス扉５により前側から覆われ、ガラス扉５を解放した状態であれば、遊技機本体１の前側からその操作部１１４を左右に操作することにより解除阻止部材１０５を左右に摺動させることができる。
【００７５】
また、裏機構板３１には、その前部に前枠ロック機構１０４に対応する凹入部１２４が形成されており、裏機構板３１を遊技盤装着枠１４の裏側に固定したとき、その凹入部１２４が前枠ロック機構１０４に後側から嵌合するようになっている。
【００７６】
操作部１１４を操作して解除阻止部材１０５を右方向に移動させると、阻止板部１０８の右端側が前枠施錠機構８３側に突出して係合部材９１に係合し、この係合部材９１の解除方向（下向き）への移動を阻止する阻止状態となり、逆に解除阻止部材１０５を左方向に移動させると、阻止板部１０８の右端側が前枠施錠機構８３側から退去して、係合部材９１との係合が解除され、係合部材９１の解除方向（下向き）への移動が許容される阻止解除状態となる。
【００７７】
このように、解除阻止部材１０５をガラス扉５の後方に配置し、ガラス扉５を開放した状態で操作可能に構成してもよい。
【００７８】
なお、本実施形態では解除阻止部材１０５を係合部材９１に係合させてその係合部材９１の解除方向への移動を直接阻止するように構成したが、第１の実施形態のように、例えば連結板９２に例えば突出状の係合受け部９４を設け、解除阻止部材１０５を係合受け部９４に係合させて係合部材９１の解除方向への移動を間接的に阻止するように構成してもよい。
【００７９】
以上、本発明の実施形態について詳述したが、本発明はこれらの実施形態に限定されるものではなく、本発明の趣旨を逸脱しない範囲で種々の変更が可能である。例えば、解除阻止部材（解除阻止手段）１０５は、支持板１５、遊技盤装着枠１４の他、裏機構板３１、施錠手段８２の支持部材８６等に装着してもよいし、前枠３の裏側に直接装着してもよい。
【００８０】
また、解除阻止部材１０５は、前面開閉板６、ガラス扉５の後方の他、前面開閉板６の下側の下皿１０部分が開閉可能に構成されている場合にはその後方に配置してもよい。また、解除阻止部材１０５の操作部１１４を前側に露出させるための操作開口部６０を前枠３の所定位置に設け、その操作開口部６０の前側を覆う施錠可能な開閉扉を専用に設けてもよい。
【００８１】
阻止解除状態にある解除阻止部材１０５と干渉する部材を所定の開閉体に設ける等により、解除阻止部材１０５を阻止状態にセットしなければその所定の開閉体を閉じられない構成としてもよい。例えば第２の実施形態を変更して、解除阻止部材１０５を阻止解除状態にセットした状態で前面開閉板６を閉じようとしたときには、解除防止手段１２１の移動規制板１２２が解除阻止部材１０５の操作部１１４に前側から当接して施錠できないように構成してもよい。
【００８２】
解除阻止部材１０５を阻止状態、阻止解除状態に切り替え駆動可能なソレノイド等の駆動手段と、この駆動手段を制御する駆動制御手段とを備え、駆動制御手段に対して例えば携帯型のリモコン装置やホール側の制御装置から有線又は無線により制御指令を送信可能として、解除阻止部材１０５を遠隔操作により切り替え可能に構成してもよい。また、同様に施錠手段８２についても遠隔操作可能に構成してもよい。
【００８３】
解除阻止部材１０５を阻止状態で施錠でき且つ例えば鍵操作等により解除可能な施錠手段を設けてもよい。
【００８４】
第１の実施形態においても、第２の実施形態と同様、解除阻止部材１０５を係合部材９１に直接係合させて解除方向への移動を阻止するように構成してもよい。
【００８５】
係合受け部９４は、例えば解除阻止部材１０５が係合可能な孔、切り欠き、凹部等でもよい。
【００８６】
前枠３等の第１開閉体を施錠する第１開閉体施錠機構は、鍵操作により直接解除するものに限らず、どのような解除操作により解除するものであってもよい。例えば、第１開閉体施錠機構を手動で操作するための操作部と、それを前側から覆うカバー体を設け、そのカバー体を鍵操作により開放可能としてもよい。
【００８７】
その他、本発明は、パチンコ機以外のアレンジボール機や雀球遊技機等の弾球遊技機の他、スロットマシン等の各種遊技機において同様に実施可能であることは言うまでもない。
【００８８】
【発明の効果】
以上説明したように，本発明は，遊技機本体１の前側に開閉可能に枢着された第１開閉体３と、該第１開閉体３を閉状態で施錠する施錠手段８２とを備え、該施錠手段８２は、第１開閉体３が閉状態のときに遊技機本体１側の被係合部９０に係合し且つ遊技機本体１の前側からの所定の解除操作により解除方向に動作する第１開閉体施錠機構８３を備えた遊技機において、第１開閉体施錠機構８３の解除方向への動作を阻止する阻止状態と、第１開閉体施錠機構８３の解除方向への動作を許容する阻止解除状態とに切り替え可能に構成されると共に、第１開閉体３とは別の第２開閉体６を開放した状態で、遊技機本体１の前側から阻止状態／阻止解除状態の切り替え操作が可能に構成された解除阻止手段１０５と、第２開閉体６に設けられ且つ第２開閉体６を閉じたときに阻止状態にある解除阻止手段１０５の阻止解除方向側の面に略当接若しくは近接して解除阻止手段１０５の阻止状態から阻止解除状態への切り替えを阻止する解除防止手段１２１とを備えているため、遊技機本体の隙間から細長状の物を挿入する等の方法で第１開閉体施錠機構８３を直接解除方向へ動作させて第１開閉体３の施錠を解除することが不可能となり、遊技機本体１の前側の第１開閉体３を不正に開放する行為を効果的に防止できる。
【図面の簡単な説明】
【図１】本発明の第１の実施形態を示すパチンコ機の全体斜視図である。
【図２】本発明の第１の実施形態を示すパチンコ機の全体背面図である。
【図３】本発明の第１の実施形態を示すパチンコ機のガラス扉と前面開閉板とを取り外した状態での前枠の部分正面図である。
【図４】本発明の第１の実施形態を示す縦断面図である。
【図５】本発明の第１の実施形態を示す平面図で、ガラス扉のみを開放した状態（ａ）とガラス扉と前面開閉板とを開放した状態（ｂ）とを示すものである。
【図６】本発明の第１の実施形態を示す施錠手段の施錠解除動作の説明図である。
【図７】本発明の第１の実施形態を示す施錠手段の下部側の部分側面図である。
【図８】本発明の第１の実施形態を示す前枠ロック機構近傍の拡大背面図である。
【図９】本発明の第１の実施形態を示す前枠ロック機構近傍の部分断面図である。
【図１０】本発明の第１の実施形態を示す前枠ロック機構近傍の横断面図である。
【図１１】本発明の第１の実施形態を示す前枠ロック機構近傍の正面図である。
【図１２】本発明の第１の実施形態を示す前枠ロック機構の分解斜視図である。
【図１３】本発明の第２の実施形態を示す前枠ロック機構近傍の横断面図である。
【図１４】本発明の第２の実施形態を示す前枠ロック機構近傍の正面図である。
【図１５】本発明の第３の実施形態を示す前枠ロック機構近傍の拡大斜視図である。
【符号の説明】
１    遊技機本体
３    前枠（第１開閉体）
５    ガラス扉（第３開閉体、第２開閉体）
６    前面開閉板（第２開閉体）
１５    支持板
６０    操作開口部
８２    施錠手段
８３    前枠施錠機構（第１開閉体施錠機構）
９０    被係合具（被係合部）
９１    係合部材（係合手段）
９２    連結板（連動手段）
１０５    解除阻止部材（解除阻止手段）
１１４    操作部
１２１    解除阻止手段
【図１】
0003989288.tif 000002
【図２】
0003989288.tif 000003
【図３】
0003989288.tif 000004
【図４】
0003989288.tif 000005
【図５】
0003989288.tif 000006
【図６】
0003989288.tif 000007
【図７】
0003989288.tif 000008
【図８】
0003989288.tif 000009
【図９】
0003989288.tif 000010
【図１０】
0003989288.tif 000011
【図１１】
0003989288.tif 000012
【図１２】
0003989288.tif 000013
【図１３】
0003989288.tif 000014
【図１４】
0003989288.tif 000015
【図１５】
0003989288.tif 000016